(57)【要約】【課題】蓋本体の過剰な食い込み力の発生を防止できるとともに、閉蓋の際、蓋本体をスムーズに受枠内に収めることができる地下構造物用丸型蓋を提供すること。【解決手段】丸型の蓋本体１０と、蓋本体１０を内周面上部で支持する受枠２０とからなる勾配受構造の地下構造物用丸型蓋において、受枠２０の内周面上部には受枠凸曲面部２１を形成するとともに、受枠凸曲面部２１の上方には受枠壁面部２２を、下方には受枠２０の下方に向けて縮径する受枠傾斜面部２３を形成し、蓋本体１０の外周側面部には蓋凸曲面部１１を形成するとともに、蓋凸曲面部１１の上方には蓋壁面部１２を、下方には蓋本体１０の下方に向けて縮径する蓋傾斜面部１３を形成し、閉蓋状態において、蓋傾斜面部１３と受枠傾斜面部２３のみが嵌合し、蓋本体１０の外周側面部および受枠２０の内周面上部におけるその他の部分には隙間ｇが形成されるようにした。【選択図】図２
2005048479.tif 000002
【特許請求の範囲】
【請求項１】
丸型の蓋本体と、この蓋本体を内周面上部で支持する受枠とからなる勾配受構造の地下構造物用丸型蓋において、
受枠の内周面上部には、受枠の内方に向けて凸となる受枠凸曲面部を形成するとともに、この受枠凸曲面部の上方には受枠壁面部を、下方には受枠の下方に向けて縮径する受枠傾斜面部を形成し、
蓋本体の外周側面部には、凸状の蓋凸曲面部を形成するとともに、この蓋凸曲面部の上方には蓋壁面部を、下方には蓋本体の下方に向けて縮径する蓋傾斜面部を形成し、
蓋本体を受枠で支持した閉蓋状態において、蓋傾斜面部と受枠傾斜面部のみが嵌合し、蓋本体の外周側面部および受枠の内周面上部におけるその他の部分には隙間が形成されるようにしたことを特徴とする地下構造物用丸型蓋。
【発明の詳細な説明】
【技術分野】
【０００１】
本発明は、丸型の蓋本体と、この蓋本体を内周面上部で支持する受枠とからなる地下構造物用丸型蓋に関する。
【０００２】
なお、本願明細書でいう「地下構造物用丸型蓋」とは、下水道における地下埋設物，地下構造施設等と地上とを通じる開口部を閉塞するマンホール蓋，大型鉄蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等のうち丸型のものを総称する。
【背景技術】
【０００３】
従来の地下構造物用丸型蓋は、蓋本体外周の勾配面を受枠内周の勾配面に食い込ませることにより蓋本体を受枠に嵌合支持する勾配受構造のものが一般的である。この勾配受構造の地下構造物用丸型蓋として、特許文献１には、勾配面の垂直面に対する傾斜角度、すなわち勾配角度を５°〜１０°に限定したものが記載されている。特許文献１に記載のものでは、上記のように勾配角度を限定することにより、蓋本体の受枠に対する食い込みの量および力を充分確保させることができ、蓋本体のがたつき、振動、騒音を著しく抑えることができるとともに、蓋本体のずり上がり(水平ではなく斜めに喰い込む現象)も殆ど起こさないという効果を奏することができる。
【０００４】
しかしながら、特許文献１に記載の地下構造物用蓋にあっては、上述した効果を奏するものの、設置環境によっては蓋本体の受枠への過剰な食い込み力が発生する場合があるため、バールで開蓋する際に多大な労力を要することがあり、開蓋作業が困難となることがあった。
【０００５】
また、従来の地下構造物用丸型蓋では、蓋本体を開蓋後に閉蓋する場合、バールで蓋本体を引きずるようにして受枠内に収めたり、蓋本体を後方から斜め下方向に押し込んで受枠内に収めたりするが、この際、蓋本体の前部が大きく受枠内に落ち込むことがあり、この状態で蓋本体をさらに押し込むと蓋本体の前部左右の側面が受枠の内周面（垂直壁）に接触して嵌り込んでしまい、それ以上蓋本体を押し込むことができなくなる。この状態を図５に例示しており、同図（ａ）はその断面を示し、同図（ｂ）は蓋本体の外周側面と受枠の内周面上部との接触部（同図（ａ）のＡ−Ａ線部）の要部の断面を示している。図示の状態では、蓋本体１０の前部左右の側面が受枠２０の垂直壁２４の上端に接触して嵌り込んでいる。このような状態になると、それ以上は蓋本体１０を押し込むことができず、作業者は蓋本体１０の前部を持ち上げなおして閉蓋しなければならないことから閉蓋作業が煩わしくなり、作業時間も長くなるという問題があった。
【特許文献１】特開昭５３−７２３５７号公報
【発明の開示】
【発明が解決しようとする課題】
【０００６】
本発明が解決しようとする課題は、蓋本体の受枠への過剰な食い込み力が発生することを防止して適度な労力で開蓋を行うことができるとともに、閉蓋の際、バールで蓋本体を引きずるようにしたり、蓋本体を後方から受枠内に押し込むだけで蓋本体をスムーズに受枠内に収めることができる地下構造物用丸型蓋を提供することにある。
【課題を解決するための手段】
【０００７】
上記課題を解決するために、本発明は、丸型の蓋本体と、この蓋本体を内周面上部で支持する受枠とからなる地下構造物用丸型蓋において、受枠の内周面上部には、受枠の内方に向けて凸となる受枠凸曲面部を形成するとともに、この受枠凸曲面部の上方には受枠壁面部を、下方には受枠の下方に向けて縮径する受枠傾斜面部を形成し、蓋本体の外周側面部には、凸状の蓋凸曲面部を形成するとともに、この蓋凸曲面部の上方には蓋壁面部を、下方には蓋本体の下方に向けて縮径する蓋傾斜面部を形成し、蓋本体を受枠で支持した閉蓋状態において、蓋傾斜面部と受枠傾斜面部のみが嵌合し、蓋本体の外周側面部及び受枠の内周面上部におけるその他の部分には隙間が形成されるようにしたことを特徴とする。
【０００８】
以上の構成において、蓋本体は、その外周側面部下方の蓋傾斜面部が受枠の内周面上部下方の受枠傾斜面部にテーパー嵌合され、がたつき、振動、騒音等が抑えられて受枠に支持される。一方、蓋傾斜面部と受枠傾斜面部以外の部分は、接触しておらず上方に開口する隙間が形成されている。このように、大きな食い込み力が発生する蓋本体及び受枠の上方には嵌合していない隙間が形成されているため、過剰な食い込み力の発生の抑制が可能となる。
【０００９】
また、閉蓋時に蓋本体の後方から蓋本体を押し込んで受枠内に収める際は、蓋本体の蓋凸曲面部の下側が受枠の受枠凸曲面部の上側に接触し、さらに蓋本体を後方から押すと蓋本体の蓋凸曲面部と受枠の受枠凸曲面部との接触部が徐々に蓋本体の前部に移動しながら蓋凸曲面部が受枠凸曲面部によってガイドされる。そのため、蓋本体を後方から押し込むだけで、蓋本体を受枠にスムーズに収めることができる。
【発明の効果】
【００１０】
本発明では、蓋本体の外周側面部下方の蓋傾斜面部と受枠の内周面上部下方の受枠傾斜面部のみがテーパー嵌合され、その他の部分は接触せずに上方に開口する隙間が形成されるので、蓋本体のがたつき、振動、騒音等が抑えられるとともに、過剰な食い込み力の発生が抑えられる。
【００１１】
また、受枠の内周面上部には、受枠の内方に向けて凸となる受枠凸曲面部を形成し、蓋本体の外周側面部には、凸状の蓋凸曲面部を形成したので、閉蓋の際、蓋凸曲面部が受枠凸曲面部によってガイドされながら移動し、バールで蓋本体を引きずるようにしたり、蓋本体を後方から押し込むだけで蓋本体を受枠内にスムーズに収めることができる。
【発明を実施するための最良の形態】
【００１２】
図１は、本発明の地下構造物用丸型蓋の分解斜視図である。本発明の地下構造物用丸型蓋は、丸型の蓋本体１０とこの蓋本体１０を内周面上部で支持する受枠２０とから構成され、蓋本体１０は図示しない蝶番金物によって受枠２０に対して開閉可能に連結されている。この地下構造物用丸型蓋は、例えばマンホールの上部側塊の上端部に取り付けられ、その上端面が地表面と面一となるように設置される。
【００１３】
図２は、蓋本体１０を受枠２０で支持した閉蓋状態における要部の縦断面図である。同図に示すように、受枠２０の内周面上部には、受枠２０の内方に向けて凸となる受枠凸曲面部２１を形成するとともに、この受枠凸曲面部２１の上方には、凹曲面状の受枠壁面部２２を連続して形成している。また、受枠凸曲面部２１の下方には、受枠２０の下方に向けて縮径する受枠傾斜面部２３を形成している。
【００１４】
蓋本体１０には、その縁巻部１０ａの外周側面に凸状の蓋凸曲面部１１を形成するとともに、この蓋凸曲面部１１の上方には、蓋壁面部１２を連続して形成している。また、蓋凸曲面部１２の下方には、蓋本体１０の下方に向けて縮径する蓋傾斜面部１３を形成している。蓋傾斜面部１３と受枠傾斜面部２３の垂直面に対する傾斜角度（勾配角度）は５°〜１０°の範囲内で同一角度としている。そして、閉蓋状態では、蓋傾斜面部１３と受枠傾斜面部２３のみがテーパー嵌合し、その他の部分は接触しておらず上方に開口する隙間ｇが形成されている。蓋傾斜面部１３と受枠傾斜面部２３とがテーパー嵌合することにより、蓋本体１０は、がたつき、振動、騒音等を抑えられて受枠２０に嵌合支持される。
【００１５】
ここで、蓋本体１０は、上部に天板１０ｂを有するため、上部の横方向の力に対する剛性が高く、縁巻部１０ａ上部が変形しにくくなっている。このため、仮に、縁巻部１０ａ上部の蓋壁面部１２と受枠壁面部２２をテーパー嵌合させると、対向する受枠２０からの反力による大きな食い込み力（締付力）が発生することになる。一方、縁巻部１０ａの下部は、天板１０ｂに支持されていないため上部と比較して剛性が低く、歪んで変形しやすい。このため、縁巻部１０ａ下部の蓋傾斜面部１３を受枠傾斜面部２３にテーパー嵌合させると、蓋傾斜面部１３が僅かに変形しようとするので、食い込み力は低減される。本発明では上述のように、縁巻部１０ａ上部に隙間ｇを形成することで、大きな食い込み力が発生する縁巻部１０ａ上部ではテーパー嵌合させずに、縁巻部１０ａ下部のみでテーパー嵌合させるようにしているので、過剰な食い込み力が発生することを防止できる。
【００１６】
次に、本発明の地下構造物用丸型蓋の閉蓋操作について図３を参照して説明する。同図（ａ）は、開蓋後、閉蓋のために蓋本体を水平旋回させこれを受枠にほぼ重ねた状態の断面を示し、同図（ｂ）はこの状態における蓋本体の外周側面と受枠の内周面上部との接触部（同図（ａ）のＡ−Ａ線部）の要部の断面を示している。図３（ｂ）に示すように、閉蓋のために蓋本体１０を受枠２０にほぼ重ねた状態では、蓋凸曲面部１１の下側が受枠凸曲面部２１の上側に接触し、蓋本体１０が受枠２０の中に大きく落ち込むことが防止されている。この状態で、足によって蓋本体１０の後部（図３（ａ）において左端部）を押し、蓋本体１０を斜め下方向に押し込むと、蓋凸曲面部１１の受枠凸曲面部２１との接触部が徐々に蓋本体１０の前方（図３（ａ）において右側）に移動しながら蓋凸曲面部１１が受枠凸曲面部２１によってガイドされる。これに伴い、蓋本体１０の前部（図３（ａ）において右端部）はせり上がるように上昇し、最終的には蓋本体１０が受枠２０内に完全に収まるようになる。このように本発明の地下構造物用丸型蓋では、閉蓋の際に、蓋本体１０は、その蓋凸曲面部１１が受枠凸曲面部２１によってガイドされながら移動するので、蓋本体１０を押し込むだけで蓋本体１０を受枠２０にスムーズに収めることができる。
【００１７】
図４は、本発明の他の実施例を示す要部の縦断面図である。先の実施例と同一の構成には同一の符号を付し、その説明を省略する。本実施例では、蓋凸曲面部１１および受枠凸曲面部２１のみを曲面とし、その他の部分は断面視で平面状に形成したものである。この実施例においても、先の実施例と同様の作用効果を奏することができる。
【産業上の利用可能性】
【００１８】
本発明に係る地下構造物用丸型蓋は、あらゆる用途に利用可能であるが、とくに、車道等のように過剰な食い込み力が発生する可能性の高い場所に設置されるものとして有用である。
【図面の簡単な説明】
【００１９】
【図１】本発明の地下構造物用丸型蓋の分解斜視図である。
【図２】蓋本体を受枠で支持した閉蓋状態における要部の縦断面図である。
【図３】本発明の地下構造物用丸型蓋における閉蓋操作の説明図である。
【図４】本発明の他の実施例を示す要部の縦断面図である。
【図５】従来の地下構造物用丸型蓋における閉蓋操作の説明図である。
【符号の説明】
【００２０】
１０  蓋本体
１０ａ  縁巻部
１０ｂ  天板
１１  蓋凸曲面部
１２  蓋壁面部
１３  蓋傾斜面部
２０  受枠
２１  受枠凸曲面部
２２  受枠壁面部
２３  受枠傾斜面部
２４  垂直壁
【図１】
2005048479.tif 000003
【図２】
2005048479.tif 000004
【図３】
2005048479.tif 000005
【図４】
2005048479.tif 000006
【図５】
2005048479.tif 000007